(57)【要約】【課題】生体試料中の多種類の生理活性物質の検出および分析に用いられる分析装置の製造において、捕捉物質が吸着防止剤でコーティングされることがなく、目的とする生理活性物質との結合能が低下する現象を回避することができ、さらに、分析目的としないタンパク質や、標識物質（標識抗体等）の非特異的な吸着を防ぐことができ、しかも、製造工程が簡略化されるコーティング組成物および分析装置の製造方法を提供する。【解決手段】ホスホリルコリン基を有する第一単位と官能基を有する第二単位とを含む高分子物質に、生理活性物質を捕捉するための捕捉物質が、捕捉物質に含まれる官能基と前記高分子物質に含まれる第二単位の官能基との間で、結合されてなる捕捉物質結合高分子物質を含むコーティング組成物。【選択図】  なし【特許請求の範囲】
【請求項１】
ホスホリルコリン基を有する第一単位と官能基を有する第二単位とを含む高分子物質に、生理活性物質を捕捉するための捕捉物質が、該捕捉物質に含まれる官能基と前記高分子物質に含まれる第二単位の官能基との間で、結合されてなる捕捉物質結合高分子物質を含むコーティング組成物。
【請求項２】
前記高分子物質に含まれる官能基がカルボン酸誘導基である、請求項１に記載のコーティング組成物。
【請求項３】
前記カルボン酸誘導基が活性エステル基である、請求項２に記載のコーティング組成物。
【請求項４】
前記捕捉物質に含まれる官能基がアミノ基である、請求項１乃至３の何れか１項に記載のコーティング組成物。
【請求項５】
前記高分子物質が第三単位としてブチルメタクリレート基を有する請求項１乃至４の何れか１項に記載のコーティング組成物。
【請求項６】
前記捕捉物質はビオチンを含む、請求項１乃至５の何れか１項に記載のコーティング組成物。
【請求項７】
請求項１乃至６の何れか１項に記載のコーティング組成物を基板表面にコーティングすることにより、基板表面にホスホリルコリンと捕捉物質を存在させることを特徴とする分析装置の製造方法。
【請求項８】
請求項１乃至６の何れか１項に記載のコーティング組成物を、基板表面に形成された反応槽壁面にコーティングすることにより、反応槽壁面にホスホリルコリンと捕捉物質を存在させることを特徴とする分析装置の製造方法。
【請求項９】
２枚の平面基板の界面に流路が形成され、該流路の入口および出口を形成した分析装置の製造方法であって、該分析装置の流路壁面に請求項１乃至６の何れか１項に記載のコーティング組成物をコーティングすることにより、流路壁面にホスホリルコリンと捕捉物質を存在させることを特徴とする分析装置の製造方法。
【請求項１０】
請求項１乃至６の何れか１項に記載のコーティング組成物をコーティングした後に、コーティング面を洗浄することを特徴とする請求項７、８又は９に記載の分析装置の製造方法。
【請求項１１】
請求項７に記載の製造方法で製造された分析装置の基板上に生理活性物質を含む液体試料を供給し、生理活性物質の存在の有無、或いは量を検知することを特徴とする試料の分析方法。
【請求項１２】
請求項８に記載の製造方法で製造された分析装置の反応槽壁面に生理活性物質を含む液体試料を供給し、生理活性物質の存在の有無、或いは量を検知することを特徴とする試料の分析方法。
【請求項１３】
請求項９に記載の製造方法で製造された分析装置の流路の入口から流路の壁面に生理活性物質を含む液体試料を供給し、生理活性物質の存在の有無、或いは量を検知することを特徴とする試料の分析方法。
【発明の詳細な説明】
【技術分野】
【０００１】
本発明は、生体試料中の種々の生理活性物質の検出および分析に用いられる分析装置の製造方法、および該分析装置の製造に用いる捕捉物質結合高分子物質を含むコーティング組成物、および該分析装置を用いた生理活性物質の分析方法に関する。
【背景技術】
【０００２】
ＤＮＡ、ＲＮＡ、タンパク質、ペプチド、ホルモン、脂質、糖タンパク質等の生理活性物質の分析は、臨床分野、産業分野において重要である。臨床分野においては、ＤＮＡ、ＲＮＡの配列や量を分析することで遺伝性疾患の診断を実施したり、タンパク質、ペプチド、ホルモン、脂質、糖たんぱく質等を定性、或いは定量することにより感染症、代謝異常等の各種疾患の診断が行われる。また、産業分野においては、例えば食品業界において、アレルギー症状を引き起こす食品中のアレルゲンの存在を定性或いは定量することで食の安全の維持が図られている。
【０００３】
このような生理活性物質を分析するために、生理活性物質を分析デバイス上に捕獲する方法がとられている。最も汎用されている分析方法の一つであるサンドイッチ免疫測定法では、生理活性物質を捕捉するための捕捉物質（捕捉抗体）を反応部位となる基板上に固定化しておき、この基板上に生理活性物質を含む試料を接触させることで捕捉物質に生理活性物質を捕捉させている。続いて捕捉されなかった物質を洗い流した後に、捕捉物質とは異なる結合性（異なるエピトープ）を有する標識物質（標識抗体）を、捕捉された生理活性物質に反応させ、次いで、過剰量の標識物質を洗い流してから標識物質（標識抗体）を検出することで、生理活性物質の量を測定する。このようなサンドイッチ免疫測定法における反応部位としては、例えば、基板表面に形成された反応槽壁面、マイクロチップと呼ばれる微細な流路を有するデバイスの流路壁面、或いは、スライドグラス等の平面基板の表面が挙げられる。
【０００４】
また、すべての蛋白質（プロテオーム）の変動をプロファイリングする技術として、超微量の蛋白質や、数ナノリットルから数マイクロリットルというような超微量の溶液の操作を可能とするマイクロフルイディクスの技術や、チップ上での前処理、分離、検出を目標とする「ラボ・オン・チップ」の技術がある。これらの技術においては、サンプルである蛋白質などの生理活性物質が、２枚の基板の界面に形成された流路内に固定化された捕捉物質（捕捉抗体）と特異的に反応し、かつ捕捉物質固定化部以外の流路の内壁への非特異吸着を抑制することが必要となる。
【０００５】
このような測定系において、反応部位、例えば、基板表面に形成された反応槽壁面、マイクロチップの流路壁面、スライドガラス等の平面基板表面への標識物質（標識抗体）の非特異的吸着は、信号雑音比を低下させる原因となり、検出精度を低下させる。このため、通常のサンドイッチ免疫測定系では、標識物質（標識抗体）の非特異的な吸着を防ぐため、反応部位となる基板上に、生理活性物質を捕捉するための捕捉物質（捕捉抗体）の固定化を行った後に、吸着防止剤のコーティングが行われる（例えば、非特許文献１）。このような吸着防止剤として、牛血清アルブミン、カゼイン等のタンパク質や、リン脂質を含む高分子物質が一般的に利用されている。
【０００６】
しかしながらこの方法では、基板上に固定された捕捉物質（捕捉抗体）が吸着防止剤に覆われるため、捕捉物質（捕捉抗体）に生理活性物質が捕捉されにくく、感度が低くなるという問題がある。また、吸着防止剤をコーティングするための工程を要するため、全体の工程が多くなるという問題もある。
【０００７】
上記問題点を改善するものとして、生理活性物質や標識物質（標識抗体）の非特異吸着を防止するためのホスホリルコリン基を有し、且つ、および捕捉物質（捕捉抗体）を固定化するための活性エステル基を有する高分子物質を基板にコーティングしてなるバイオチップ用基板の製造方法が開発された（特許文献１）。特許文献１のバイオチップ基板の製造方法によれば、高分子物質のコーティング溶液中に、標識物質（標識抗体）の非特異吸着を防止するためのホスホリルコリン基と、捕捉物質（捕捉抗体）を固定化するための活性エステル基が含まれているので、該高分子物質を基板上にコーティングすることにより、活性エステル基が吸着防止剤に覆われることなく塗膜表面上に露出して固定され、該活性エステル基を介して捕捉物質（捕捉抗体）を基板上に効率よく固定化することができる。このため、特許文献１のバイオチップ基板の方法によれば、捕捉物質（捕捉抗体）が吸着防止剤でコーティングされることがないので、生理活性物質との結合能が低下する現象を回避することができる。さらに、該バイオチップ基板上にはホスホリルコリン基が露出して固定されているので、分析目的としないタンパク質等の物質や、標識物質（標識抗体）の非特異的な吸着を防ぐことができ、吸着防止剤をコーティングする工程を設ける必要がない。
【特許文献１】ＷＯ２００５−０２９０９５
【非特許文献１】Acta Med Okayama Vol.48., No.6,. pp299-304
【発明の開示】
【発明が解決しようとする課題】
【０００８】
しかしながら、特許文献１の方法は、生理活性物質を捕捉するための捕捉物質を基板上に固定化するにあたって、ホスホリルコリン基を有し、且つ、活性エステル基を有する高分子物質を含むコーティング組成物を基板上にコーティングすることにより高分子物質を固定化した後に、捕捉物質を固定化している。このため、特許文献１の方法は、従来の捕捉物質を固定化した後に吸着防止剤をコーティングする方法（ステップ数２個）に比べて、バイオチップ等の分析装置の製造に要するステップ数は２個であるため、従来方法とステップ数は変わらず、製造工程が簡略化されていないという問題点がある。
【０００９】
そこで本発明は、生体試料中の多種類の生理活性物質の検出および分析に用いられる分析装置の製造において、捕捉物質が吸着防止剤でコーティングされることがなく、目的とする生理活性物質との結合能が低下する現象を回避することができ、さらに、分析目的としないタンパク質等の夾雑物質や、標識物質（標識抗体）等の非特異的な吸着を防ぐことができ、しかも、製造工程が簡略化される方法を提供することを目的とする。
【課題を解決するための手段】
【００１０】
本発明は、分析装置に用いる基板の表面にコーティングするための、或いは分析装置としての基板表面に形成された反応槽壁面にコーティングするための、或いは、分析装置の流路壁面にコーティングするための、捕捉物質結合高分子物質を含むコーティング組成物を提供する。即ち、本発明のコーティング組成物は、ホスホリルコリン基を有する第一単位と、官能基を有する第二単位とを含む高分子物質に、生理活性物質を捕捉するための捕捉物質が、該捕捉物質に含まれる官能基と前記高分子物質に含まれる第二単位の官能基との間で、結合されてなる捕捉物質結合高分子物質を含むことを特徴とする。
【００１１】
本発明の一番目の分析装置の製造方法は、前記コーティング組成物を基板表面にコーティングすることにより、基板表面にホスホリルコリンと捕捉物質を存在させることを特徴とする。
【００１２】
また、本発明の二番目の分析装置の製造方法は、前記コーティング組成物を基板表面に形成された反応槽壁面にコーティングすることにより、反応槽壁面にホスホリルコリンと捕捉物質を存在させることを特徴とする。
【００１３】
またさらに、本発明の三番目の分析装置の製造方法は、２枚の平面基板の界面に流路が形成され、該流路の入口および出口を形成した分析装置の製造方法であって、該分析装置の流路壁面に前記コーティング組成物をコーティングすることにより、流路壁面にホスホリルコリンと捕捉物質を存在させることを特徴とする。
【００１４】
上記本発明の一番目〜三番目の製造方法により得られた各分析装置は、本発明のコーティング組成物がコーティングされた基板表面、流路壁面、或いは反応槽壁面において、固定されている捕捉物質が試料中の生理活性物質を捕捉し、且つ、固定されているホスホリルコリン基は分析目的としないタンパク質等の夾雑物質や、標識物質（標識抗体）の非特異吸着を抑制する性質を有し、しかも、固定されている捕捉物質は、吸着防止剤等により覆われることがないので、捕捉物質は生理活性物質に対する結合能が低下しない特徴を有する。本発明の方法により得られる分析装置は、マイクロチップとして有用である。
【００１５】
本発明の一番目の分析方法は、前記一番目の分析装置の製造方法により得られた分析装置を用いて試料中の生理活性物質を分析する方法であって、該分析装置の基板上に生理活性物質を含む液体試料を供給し、生理活性物質の存在の有無、或いは量を検知することを特徴とする。
【００１６】
本発明の二番目の分析方法は、前記二番目の分析装置の製造方法により得られた分析装置を用いて試料中の生理活性物質を分析する方法であって、該分析装置の反応槽壁面に生理活性物質を含む液体試料を供給し、生理活性物質の存在の有無、或いは量を検知することを特徴とする。
【００１７】
本発明の三番目の分析方法は、前記三番目の分析装置の製造方法により得られた分析装置を用いて試料中の生理活性物質を分析する方法であって、該分析装置としてのマイクロチップの流路の入口から流路の壁面に生理活性物質を含む液体試料を供給し、生理活性物質の存在の有無、或いは量を検知することを特徴とする。
【発明の効果】
【００１８】
本発明のコーティング組成物および分析装置の製造方法によれば、コーティング組成物中の捕捉物質結合高分子物質に、標識物質（標識抗体等）や分析目的としない生理活性物質等の非特異吸着を防止するためのホスホリルコリン基と、生理活性物質を捕捉するための捕捉物質が含まれているので、該コーティング組成物を基板表面、流路壁面、或いは反応槽壁面にコーティングすることにより、１ステップにより捕捉物質を固定化することができると同時に標識物質（標識抗体等）や分析目的としない生理活性物質等の非特異吸着を防止することができる。従来は、捕捉物質を固定化するために高分子物質をコーティングしてから、捕捉物質を固定化する、２段階のステップを要していたものが、本発明では１ステップで可能となるため、生理活性物質の分析装置の製造工程が簡素化できる。
【００１９】
また、本発明のコーティング組成物は、捕捉物質が結合した高分子物質が含まれているため、一度に大量調製しておけば、必要なときに必要な量をコーティングするだけで、捕捉物質の固定化を行うことができる。
【００２０】
高分子と捕捉物質を予め結合させてから基板にコーティングすると、捕捉物質の一部は高分子に巻き込まれて高分子の内部に埋もれてしまい機能できなくなるものがあると当初予想されていた。また、高分子と基板の間に埋もれた捕捉物質が、基板への高分子のコーティングに何らかの影響、例えば、コーティングのむら、コーティングのはがれ易くなる等の悪影響が当初予想されていたが、本発明はこれらの悪い予想にも関わらず、以下の実施例に実証するように、従来の、予め高分子物質をコーティングさせた後、捕捉物質を結合させる方法に比べて、予想外に同等以上の反応性が得られた。
【発明を実施するための最良の形態】
【００２１】
（コーティング組成物）
本発明のコーティング組成物に含まれる捕捉物質結合高分子物質は、ホスホリルコリン基を有する第一単位と官能基を有する第二単位とを含む高分子物質に、生理活性物質を捕捉するための捕捉物質が、捕捉物質に含まれる官能基と前記高分子物質に含まれる第二単位の官能基との間で、共有結合されたものである。或いは、本発明のコーティング組成物に含まれる捕捉物質結合高分子物質は、ホスホリルコリン基を有する第一単位と官能基を有する第二単位と、ブチルメタクリレート基を有する第三単位を含む高分子物質に、生理活性物質を捕捉するための捕捉物質が、該捕捉物質に含まれる官能基と前記高分子物質に含まれる第二単位の官能基との間で、共有結合されたものである。
【００２２】
ホスホリルコリン基を有する第一単位と官能基を有する第二単位とを含む前記高分子物質は、ホスホリルコリン基を有する単量体と、官能基を有する単量体との共重合により得ることができる。ホスホリルコリン基を有する第一単位と官能基を有する第二単位とブチルメタクリレート基を有する第三単位を含む前記高分子物質は、ホスホリルコリン基を有する単量体と、官能基を有する単量体、ブチルメタクリレート基を有する単量体との共重合により得ることができる。
【００２３】
本発明のコーティング組成物中の高分子物質の製造に用いられる前記ホスホリルコリン基を有する単量体は、メタクリル基またはアクリル基を有する構成としてもよい。
【００２４】
本発明のコーティング組成物中の高分子物質の製造に用いられる前記官能基を有する単量体は、カルボン酸誘導基を有する単量体であってもよく、さらに、活性エステル基を有する単量体であってもよく、さらに具体的には、ｐ−ニトロフェニル基またはＮ−ヒドロキシスクシンイミド基を有する単量体であってもよい。
【００２５】
本発明のコーティング組成物に使用する高分子物質において、第一単位に含まれるホスホリルコリン基の例には、２−メタクリロイルオキシエチルホスホリルコリン基、および６−メタクリロイルオキシヘキシルホスホリルコリン基等の（メタ）アクリロイルオキシアルキルホスホリルコリン基；
２−メタクリロイルオキシエトキシエチルホスホリルコリン基、および１０−メタクリロイルオキシエトキシノニルホスホリルコリン基等の（メタ）アクリロイルオキシアルコキシアルキルホスホリルコリン基；
アリルホスホリルコリン基、ブテニルホスホリルコリン基、ヘキセニルホスホリルコリン基、オクテニルホスホリルコリン基、およびデセニルホスホリルコリン基等のアルケニルホスホリルコリン基等の基を有し、ホスホリルコリン基がこれらの基中に含まれている構成が挙げられる。
【００２６】
また、これらのホスホリルコリン基のうち、２−メタクリロイルオキシエチルホスホリルコリン基が好ましい。
【００２７】
本発明のコーティング組成物に使用する高分子物質において、第二単位の官能基の例には、次の式（１）で示されるエステル基が挙げられる。
【００２８】
【化１】
2008076093.tif 000002
（ただし、上記式（１）において、Ａは水酸基を除く一価の脱離基である。）
【００２９】
前記式（１）に示すように、第二単位にカルボニル基を介して脱離基Ａが存在するため、高分子物質中に生理活性物質を捕捉する捕捉物質をさらに確実に化学的に導入することができる。
【００３０】
前記式（１）に示される一価の基が下記式（ｐ）または式（ｑ）から選択されるいずれかの基であってもよい。こうすることにより、脱離基Ａをさらに確実に活性化し、反応性をさらに向上させることができる。なお、下記式（ｐ）または式（ｑ）は、それぞれ、Ｎを含む環状化合物ＮからＨが抜けた構成やＣを含む環状化合物のＣからＨが抜けた構成とすることもできる。
【００３１】
【化２】
2008076093.tif 000003
【００３２】
（ただし、上記式（ｐ）および式（ｑ）において、Ｒ1 およびＲ2 は、それぞれ独立して、一価の有機酸であり、直鎖状、分岐状、および環状のいずれであってもよい。また、上記式（ｐ）においてＲ1 はＣとともに環を形成する二価の基であってもよい。また、上記式（ｑ）において、Ｒ2 はＮとともに環を形成する二価の基であってもよい。）
【００３３】
上記式（ｐ）に示される基として、例えば下記式（ｒ）、（ｓ）および（ｗ）に示される基が挙げられる。また、上記式（ｑ）に示される基として、例えば下記式（ｕ）に示される基が挙げられる。
【００３４】
上記式（１）に示される基は、例えば下記式（ｒ）、（ｓ）等に示される酸無水物由来の基；
下記式（ｔ）に示される酸ハロゲン化物由来の基；
下記式（ｖ）に示される活性化アミド由来の基とすることができる。
【００３５】
【化３】
2008076093.tif 000004
【００３６】
前記式（１）に示される官能基の例には、活性化されたカルボン酸誘導基が挙げられる。活性化されたカルボン酸誘導基は、カルボン酸のカルボキシル基が活性化されたものであり、Ｃ＝Ｏを介して脱離基を有するカルボン酸である。活性化されたカルボン酸誘導基としては、例えば、カルボン酸であるアクリル酸、メタクリル酸、クロトン酸、マレイン酸、フマル酸などのカルボキシル基が、酸無水物、酸ハロゲン化物、活性エステル、又は活性化アミド等に変換された化合物が挙げられる。カルボン酸誘導基は、こうした化合物に由来する活性化された基であり、例えば、ｐ−ニトロフェニル基やＮ−ヒドロキシスクシンイミド基、コハク酸イミド基、フタル酸イミド基、５−ノルボルネン−２，３−ジカルボキシイミド基等の活性エステル基；−Ｃｌ、−Ｆ等のハロゲン；等の基を有することができる。
【００３７】
カルボン酸誘導基のうち、活性エステル基は、穏やかな条件における反応性に優れるため、好ましく用いられる。穏やかな条件としては、例えば中性またはアルカリ性の条件、具体的には、ｐＨ７．０以上１０．０以下、好ましくはｐＨ７．６以上、９．０以下、さらに好ましくは、ｐＨ７．６以上、８．０以下とすることができる。
【００３８】
本発明で言う「活性エステル基」は、その定義について厳密な規定はなされていないが、慣用的な表現として一般的に用いられているものである。「活性エステル基」は、エステル基のアルコール側に酸性度の高い電子求引性基を有して求核反応を活性化するエステル群、すなわち反応活性の高いエステル基を意味するものとして知られている。実際的には、フェノールエステル類、チオフェノールエステル類、Ｎ−ヒドロキシアミンエステル類、複素環ヒドロキシ化合物のエステル類等がアルキルエステル等に比べてはるかに高い活性を有する活性エステル基として一般的に知られている。
【００３９】
本発明のコーティング組成物に使用する高分子物質に結合される捕捉物質には、例えば、ビオチン、アビジン、ストレプトアビジン、エストラジオール、ハプテン、ホルモン、オリゴヌクレオチド、核酸、糖、脂質、ペプチド、抗体、酵素等のタンパク質、オリゴペプチド、糖タンパク質、生理活性物質が人工的に修飾されたもの等、これらの物質のうち２種以上が結合したものが挙げられる。これらの捕捉物質の１種または２種以上が高分子タンパク質に結合されて、捕捉物質結合高分子物質を構成してもよい。
【００４０】
本発明において捕捉物質により捕捉される生理活性物質には、前記捕捉物質に対して生化学的親和性により結合する物質であり、例えば、ビオチン、アビジン、ストレプトアビジン、エストラジオール、ハプテン、ホルモン、オリゴヌクレオチド、核酸、糖、脂質、ペプチド、抗体、酵素等のタンパク質、オリゴペプチド、糖タンパク質、生理活性物質が人工的に修飾されたもの等、これらの物質のうち２種以上が結合したもの、免疫複合体が挙げられる。
【００４１】
捕捉物質が高分子物質に共有結合される条件は、中性またはアルカリ性の条件、好ましくは、ｐＨ７．６以上とすることができる。
【００４２】
本発明のコーティング組成物に使用する高分子物質において、第三単位が含まれていてもよく、第三単位を構成する単量体にはブチルメタクリレート基を含む単量体が用いられる。
【００４３】
本発明のコーティング組成物に使用する高分子物質の製造は、前記第一単位を構成する単量体（第一単量体と呼ぶ）と前記第二単位を構成する単量体（第二単量体と呼ぶ）を共重合させるか、或いは、第一単量体と第二単量体と前記第三単位を構成する単量体（第三単量体と呼ぶ）を共重合させて行うことができる。好ましくは、各単量体を混合しラジカル重合等の公知の重合方法により行うことができる。例えば、Ａｒ等の不活性ガス雰囲気にて、溶液重合させて行うことができる。各単量体はブロック共重合していてもよく、或いはランダムに共重合していてもよい。
【００４４】
本発明で用いる高分子物質の具体的な例として、２−メタクリロイルオキシエチルホスホリルコリン（ＭＰＣ：略語）基を有する第一単量体と、ｐ−ニトロフェニルオキシカルボニルポリエチレングリコールメタクリレート（ＮＰＭＡ：略語）基を有する第二単量体と、ブチルメタクリレート（ＢＭＡ）基を有する第三単量体との共重合体が挙げられる。これらの単量体の共重合体であるｐｏｌｙ（ＭＰＣ−ｃｏ−ＢＭＡ−ｃｏ−ＮＰＭＡ）（ＰＭＢＮ）は、模式的に下記の一般式（２）で示される。
【００４５】
【化４】
2008076093.tif 000005
【００４６】
上記一般式（２）において、ａ、ｂおよびｃは、それぞれ独立して正の整数を表す。また、上記一般式（２）において、第一、第二、第三単量体がブロック共重合していてもよいし、これらの単量体がランダムに共重合していてもよい。ｎは任意の整数を表す。
【００４７】
上記一般式（２）で示される共重合体は、高分子物質の適度な疎水化と、非特異吸着を抑制する性質と、捕捉物質を固定化する性質とのバランスにより一層優れた構成である。このため、該共重合体を捕捉物質と反応させることにより、第二単位の官能基と、捕捉物質に含まれる官能基との間で共有結合が形成され、捕捉物質結合高分子物質を得ることができる。
【００４８】
本発明で用いる高分子物質の別の具体的な例として、２−メタクリロイルオキシエチルホスホリルコリン（ＭＰＣ：略語）基を有する第一単量体と、ｐ−ニトロフェニルオキシカルボニルポリエチレングリコールメタクリレート（ＮＰＭＡ：略語）基を有する第二単量体との共重合体が挙げられる。これらの単量体の共重合体であるｐｏｌｙ（ＭＰＣ−ｃｏ−ＮＰＭＡ）は、模式的に下記の一般式（３）で示される。
【００４９】
【化５】
2008076093.tif 000006
【００５０】
上記一般式（３）において、ａおよびｃは、それぞれ独立して正の整数を表す。また、上記一般式（３）において、第一、第二単量体がブロック共重合していてもよいし、これらの単量体がランダムに共重合していてもよい。ｎは任意の整数を表す。
【００５１】
上記一般式（３）で示される共重合体は、非特異吸着を抑制する性質と、捕捉物質を固定化する性質とのバランスにより一層優れた構成である。このため、該共重合体を捕捉物質と反応させることにより、第二単位の官能基と、捕捉物質に含まれる官能基との間で共有結合が形成され、捕捉物質結合高分子物質を得ることができる。
【００５２】
本発明における捕捉物質結合高分子物質を得る好適な態様は、活性エステル基含有ポリマー１０重量部に対して、アミノ基の導入されたビオチン１４重量部以上２０重量部以下を容器中で混合し、１０℃以上６０℃以下に反応溶液温度を保ちながら４時間以上溶液が十分混合した状態で反応させる。アミノ基が導入されたビオチンが１４重量部より少ないと反応が十分に進まず、２０重量部より多いと反応に対し必要以上のビオチン量となり無駄が多く工業的に好ましくない。反応温度が１０℃より低いと反応が進む速度が遅くなり工業的に好ましく、６０℃より高いと捕捉物質が失活する可能性があるため好ましくない。
【００５３】
捕捉物質結合高分子物質を含有するコーティング組成物に含ませることができる希釈溶媒としては、活性エステル基含有ポリマーおよびアミノ基が導入されたビオチンが溶解するものであれば特に限定はない。例えば、水、燐酸水素二カリウム水溶液、燐酸二水素カリウム水溶液、炭酸ナトリウム水溶液、炭酸水素ナトリウム水溶液、四ホウ酸ナトリウムほう砂水溶液等が挙げられるが、これらに限定されるものではない。ただし、活性エステル基が加水分解する可能性があるため、有機溶媒系が好ましい。また、トリメチルアミン、トリエチルアミン等を添加することによって活性エステルを分解し易くし反応を促進することも可能である。
【００５４】
（基板）
本発明の分析装置に使用する基板は、分析装置の少なくとも一部を構成するものとして使用される。本発明に使用する基板の素材は、例えば、ガラス、プラスチック、金属その他を用いることができる。このうち、表面処理の容易性、量産性の観点から、プラスチックが好ましく、特に、熱可塑性樹脂が好ましい。熱可塑性樹脂としては、蛍光発生量の少ないものが生理活性物質の検出反応におけるバックグランドを低下させて、検出感度を高めるために好ましい。蛍光発光量の少ない熱可塑性樹脂としては、例えば、ポリエチレン、ポリプロピレン、ポリペンテン等の直鎖状ポリオレフィン、ポリカーボネート、ポリスチレン、ポリアミド、飽和環状ポリオレフィン、含フッ素樹脂等を用いることが好ましく、耐熱性、耐薬品性、低蛍光性、成形性に特に優れる飽和環状ポリオレフィンを用いることがより好ましい。ここで飽和環状ポリオレフィンとは、環状オレフィン構造を有する重合体単独、または環状オレフィンとα−オレフィンとの共重合体を水素添加した飽和重合体等を指す。
【００５５】
（分析装置）
本発明の分析装置に使用する基板の形状は特に限定しない。
【００５６】
図１は本発明の分析装置の実施形態の１例を示し、基板形状がスライドグラス状の平面基板である場合の分析装置の構成を示す平面図であり、図２はその断面図である。１は液体試料中の生理活性物質を分析するための平面基板２からなる分析装置であり、該平面基板２の特定部位に本発明のコーティング組成物をコーティングしてなる捕獲ゾーン３が形成されている。なお、捕獲ゾーン３は、平面基板２の表面の一部又は全部であってもよい。図１、図２の分析装置１は、捕獲ゾーン３に液体試料を接触させて捕捉物質に捕捉された液体試料中の生理活性物質の検出又は定量に用いることができる。
【００５７】
図３は、本発明の分析装置の別の実施形態の１例を示し、平面基板１２表面に形成された反応槽壁面に本発明のコーティング組成物をコーティングしてなる捕獲ゾーン１３が形成されている分析装置１１の構成を示す平面図であり、図４はその断面図である。            
【００５８】
図３、図４の分析装置１１は、捕獲ゾーン１３に液体試料を接触させて捕捉物質に捕捉された液体試料中の生理活性物質の検出又は定量に用いることができる。
【００５９】
図５は本発明の実施形態の１例に係るマイクロチップとしての分析装置の構成を示す平面図であり、図６はその断面図である。２１は液体試料中の生理活性物質を分析するためのマイクロチップであり、第一部材２５と第二部材２６が接合されて構成されている。第一部材２５には、幅１μｍ−５０００μｍ、深さ１μｍ−５０００μｍの断面寸法を持つ溝が形成されており、第二部材２６と接合されたときに、流路２２を形成する。流路２２は、液体を流通可能な微細流路として機能する。流路２２の一方の端には流路入口２３と他方の端には流路出口２４が設けられている。流路入口２３は液体試料の導入部として機能する。また、流路出口２４は外気に連通しているため、流路２２内の液体を流動させる導気孔としても機能する。この流路入口２３と流路出口２４の間に液体試料や試薬等を導入するための導入口を１個以上設けてもよい。また、目的に応じてこうした流路につながる別の流路を設けることも可能である。
【００６０】
流路２２内に、液体試料中の目的とする生理活性物質を捕獲するための捕獲ゾーン２７が設けられており、該捕獲ゾーン２７は本発明のコーティング組成物が塗布されて形成されている。該捕獲ゾーン２７は、流路２２表面の一部または全体に形成されていてもよい。
【００６１】
マイクロチップ２１を構成する第一部材２５と第二部材２６のうち、少なくとも片方を検出光に対して透明な樹脂とすることができる。透明な樹脂材料は、生理活性物質の検出反応に用いられる検出光の波長に応じて適宜選択される。第一部材２５と第二部材２６のうち少なくとも一方を透明とすることにより、送液の状態を容易に確認することができる。また、第一部材２５と第二部材２６のうち少なくとも一方について適宜な着色を施してもよい。こうすることにより、光学的に流路２２内の反応を観察する際に、感度を挙げる作用も期待できる。
【００６２】
図５、図６に示したマイクロチップ２１は、流路２２中に液体試料を流動させて捕捉物質に捕捉された液体試料中の生理活性物質の検出または定量に用いることができる。
【００６３】
流路入口２３又は流路出口２４の径は、第一部材２５又は第二部材２６の厚さや流路２２の幅等に応じて適宜設計される。また、流路２２となる溝については、以下の構成とすることができる。マイクロチップ用基板に捕捉物質が固定されたマイクロチップ２１の流路２２中で生理活性物質の検出反応を効率よく行うためには、ある程度の流速が必要である。また、反応に寄与するのは捕捉物質が固定化されている流路２２表面部分である。これらのことから、少ない量の液体試料で効率よく反応させるには、流路２２の断面積が小さい方が好ましい。
【００６４】
図５、図６に示したマイクロチップ２１は、流路２２中に液体試料を流動させて、捕捉物質に捕捉された液体試料中の生理活性物質の検出または定量に用いることができる。
【００６５】
次に、図５、図６に示したマイクロチップ２１の製造方法について説明する。
まず、流路２２となる溝が一方の面に彫刻された第一部材２５であって、該流路２２に連通し且つ第一部材２５の他方の面に貫通する流路入口２３と流路出口２４を設けた第一部材２５を作製する。
【００６６】
次に、第一部材２５と接合されたときに、第一部材２５の溝に対して蓋をして流路２２を形成する第二部材２６を接合する。このとき両部材の接合面、例えば、流路２２を形成する側の面を、本発明のコーティング組成物で予めコーティングしておく。該コーティングは、例えば、マイクロチップ用基板の作製時に基板上にコーティング組成物を付着させる方法、或いは流路形成部内の特定の部位にピンスポッター或いはインクジェット方式のスポットによりコーティングする方法、或いは流路を形成させた後に流路内にコーティング剤を満たしてコーティングする方法が挙げられ、これらの方法により流路内壁面の一部又は全体をコーティングすることもできる。
【００６７】
コーティング組成物の膜が形成された後、洗浄を行い、余分なコーティング組成物を除去する。
【００６８】
図１〜図６に示す本発明の分析装置における捕獲ゾーンは、ホスホリルコリン基を含む第一単位と、カルボン酸誘導基を含む第二単位とを有し、該第二単位に生理活性物質を捕捉する捕捉物質が共有結合にて結合されてなる高分子物質でコーティングされている。高分子化合物中の複数のカルボン酸誘導基は、捕捉物質と共有結合されているか、或いは不活性化されている。ここで、カルボン酸誘導基が不活性化されているとは、カルボン酸誘導基を構成する一部の基（脱離基）が他の基に置換されて、活性を喪失していることをいう。
【００６９】
（分析装置の使用方法）
次に、本発明の分析装置の実施形態の一つとして、マイクロチップの使用方法を、捕捉物質として一次抗体がチップ上に固定化されている場合を例にして説明する。
【００７０】
マイクロチップを使用する際には、まず、マイクロポンプやマイクロシリンジ等の送液手段を用いて、一定量の液体試料を送液する。この工程で抗体に検出目的のタンパク質が捕捉される。液体試料の送液の後、洗浄液を一定量送液して洗浄を行う。
【００７１】
次に、分析目的のタンパク質に対する抗体に蛍光物質等の標識を施した二次抗体を一定量送液し、洗浄を行う。液体試料中に分析目的のタンパク質が存在すれば、蛍光検出器等により標識を検出できる。
【実施例】
【００７２】
以下、実施例を挙げて本発明を更に具体的に説明するが、本発明の技術的範囲はこれらの実施例に限定されるものではない。
【００７３】
［実施例１］
捕捉物質結合高分子物質の調製及び反応条件
官能基を有する捕捉物質として、アミノ基が導入されたビオチン（Ｅｚ−ｌｉｎｋTM    Ａｍｉｎｅ−ＰＥＯ3 −Ｂｉｏｔｉｎ：登録商標、ＰＩＥＲＣＥ社製）を準備し、水に溶解した水溶液（ビオチン水溶液）を調製した。このビオチン溶液を、２−メタクリロイルオキシエチルホスホリルコリン−ブチルメタクリレート−ｐ−ニトロフェニルオキシカルボニルポリエチレングリコールメタクリレート共重合体（活性エステル基含有高分子物質）と理論官能基数換算で１．０、１．２、１．４、１．６、１．８倍当量となるように各々混合し、３７℃で２、４、６、１２、２４時間反応させた。
【００７４】
前記工程で得られた反応溶液をエタノールで５０倍希釈して２７０ｎｍ波長の吸光度を測定することで残存する高分子物質中の遊離官能基量（アミノ基と結合していない活性エステル基量）を測定した。その結果を、横軸に結合反応時間、縦軸に吸光度をとったグラフとして図７に示す。図７によれば、ビオチン溶液を１．６倍当量以上加えたときに遊離活性エステル量が最小となり高分子物質にビオチンが効率よく結合していることが分かっる。また、５時間で反応がほぼ終了していることが確認できる。
【００７５】
［実施例２］
捕捉物質結合高分子物質の保存安定性
前記実施例１において、アミノ基が導入されたビオチン（Ｅｚ−ｌｉｎｋTM    Ａｍｉｎｅ−ＰＥＯ3 −Ｂｉｏｔｉｎ：登録商標、ＰＩＥＲＣＥ社製）を２−メタクリロイルオキシエチルホスホリルコリン−ブチルメタクリレート−ｐ−ニトロフェニルオキシカルボニルポリエチレングリコールメタクリレート共重合体（活性エステル基含有高分子物質）の理論官能基数の１．８倍当量加え、３７℃で６時間反応させて得た混合液を冷蔵保管して経時変化を調べた。
【００７６】
飽和環状ポリオレフィン樹脂からなる平面基板を、前記工程で冷蔵保管した混合液の０．５重量％エタノール溶液に浸漬することにより、基板表面にホスホリルコリン基とビオチンとを有する高分子物質を導入した。当該基板にＣｙ３標識ストレプトアビジン溶液をスポットし、洗浄した後にＣｙ３の蛍光シグナルを測定することで基板表面のビオチン量を測定した。その結果を横軸にＣｙ３標識ストレプトアビジン濃度（ｎｇ／ｍｌ）、縦軸にＣｙ３蛍光強度をとったグラフとして図８に示す。図８によれば、保存期間が０（結合反応直後）、１、２，２８日のもので比較検討した結果、２８日経過した混合液でもシグナルの低下は認められず、ビオチンを安定して基板表面に導入できることが確認できることが分かる。
【００７７】
［実施例３］
従来法によるビオチン固定化基板と本発明に係る方法によるビオチン固定化基板とのビオチン固定化量の比較
１．従来法によるビオチンの固定化基板の作製
飽和環状ポリオレフィン樹脂からなる平面基板を活性エステル含有高分子物質の０．５重量％エタノール溶液に浸漬することにより、基板表面にホスホリルコリン基と活性エステル基とを有する高分子物質を導入した。続いて表面に溝（幅３００μｍ、深さ１００μｍ、長さ６．５ｃｍ）を形成させたポリジメチルシロキサン（ＰＤＭＳ、フルイドウェアテクノロジーズ社製）を、基板とＰＤＭＳの境に流路が形成されるように圧着した。スポッティング溶液で５０μＭに調製したビオチン（Ｅｚ−ｌｉｎｋTM  Ａｍｉｎｅ−ＰＥＯ3 −Ｂｉｏｔｉｎ：登録商標、ＰＩＥＲＣＥ社製）を流路に満たし、３７℃で５時間インキュベーションして基板表面の活性エステル基とビオチンのアミノ基を反応させることで流路内の基板側表面にホスホリルコリン基とビオチンを有するマイクロチップを作製した。
【００７８】
２．本発明に係る方法によるビオチン固定化基板の作製
前記実施例２に記載の方法で調製した混合液の０．５重量％エタノール溶液に浸漬することにより、基板表面にホスホリルコリン基とビオチンを有するマイクロチップを作製した。
【００７９】
３．ビオチン固定化量の比較
ＰＢＳで１００ｎｇ／ｍＬに調製したＣｙ５標識ストレプトアビジン（FluoroLinkTM  CyTM5Labelled Streptavidin：商品名、Amersham Biosciences社製）を流路に３７℃１０分間送液して洗浄後、Ｃｙ５の蛍光シグナルをマイクロアレイスキャナー（Biodetect 64Reader：商品名、GeneScan社製）で検出した。その結果、従来法によるビオチン固定化基板のＣｙ５の蛍光シグナルは２００８２であったのに対し、本発明に係る方法によるビオチン固定化基板のＣｙ５の蛍光シグナルは２０１４２であり、本発明のコーティング組成物を用いる方法でも従来法と同等以上のシグナルが得られることが確認できた。
【００８０】
［実施例４］
従来法によるビオチン固定化基板と本発明に係る方法によるビオチン固定化基板を用いた免疫測定結果の比較
前記実施例３で作製した従来法と本発明の方法による２種類のマイクロチップを用いたＢ型肝炎ウィルスの表面抗原（ＨＢｓＡｇ）を免疫測定により検出し、シグナルの違いを調べた。エピトープの異なる２種類の抗ＨＢｓＡｇ抗体（第１抗体：SCANTIBODIES LABORATORY,INC 社製、第２抗体：特殊免疫研究所製）を準備し、公知の方法でストレプトアビジン（ＳＡ）標識抗ＨＢｓＡｇ第１抗体と西洋ワサビ由来ペルオキシダーゼ（ＨＲＰ）標識抗ＨＢｓＡｇ第２抗体を調製した。ＳＡ標識第１抗体、ＨＲＰ標識第２抗体及びＨＢｓＡｇをそれぞれ２μｇ／ｍＬ、１μｇ／ｍＬ及び１ｎｇ／ｍＬとなるように混合し流路に３７℃で１０分間送液した。流路内にＰＢＳを送液して洗浄後、ＨＲＰの発色基質溶液であるＳＡＴ  Ｂｌｕｅを送液して発色度合を熱レンズ顕微鏡（ＧＲＩＮＳｐｅｃｔｒａ：商品名、日本板硝子社製）で測定した。その結果を図９のグラフに示す。図９によれば、本発明に係る方法により調製したビオチン固定化基板において、従来法と同等以上の信号雑音比が得られることが確認できた。
【産業上の利用可能性】
【００８１】
本発明のコーティング組成物を基板にコーティングした分析装置は、標識物質（標識抗体等）の非特異吸着を防止するためのホスホリルコリン基を有し、且つ、捕捉物質（捕捉抗体）を固定化した構成であり、マイクロチップとして、生理活性物質の分析分野、臨床分野において有用である。
【図面の簡単な説明】
【００８２】
【図１】本発明の実施形態の１例に係る分析装置の構成を示す平面図である。
【図２】図１の分析装置の断面図である。
【図３】本発明の実施形態の別の１例に係る分析装置の構成を示す平面図である。
【図４】図３の分析装置の断面図である。
【図５】本発明の実施形態のさらに別の１例に係るマイクロチップとしての分析装置の構成を示す平面図である。
【図６】図５の分析装置の断面図である。
【図７】本発明のコーティング組成物に含まれる捕捉物質結合高分子物質の反応条件を、横軸に結合反応時間、縦軸に吸光度をとったグラフとして示す。
【図８】本発明のコーティング組成物に含まれる捕捉物質結合高分子物質の保存安定性を、横軸にＣｙ３標識ストレプトアビジン濃度（ｎｇ／ｍｌ）、縦軸にＣｙ３蛍光強度をとったグラフとして示す。
【図９】従来法によるビオチン固定化基板と本発明に係る方法によるビオチン固定化基板を用いた免疫測定結果の比較を示すグラフである。
【符号の説明】
【００８３】
１，１１  分析装置
２、１２  平面基板
３、１３  捕獲ゾーン
２１  マイクロチップ
２２  流路
２３  流路入口
２４  流路出口
２５  第一部材
２６  第二部材
２７  捕獲ゾーン
【図１】
2008076093.tif 000007
【図２】
2008076093.tif 000008
【図３】
2008076093.tif 000009
【図４】
2008076093.tif 000010
【図５】
2008076093.tif 000011
【図６】
2008076093.tif 000012
【図７】
2008076093.tif 000013
【図８】
2008076093.tif 000014
【図９】
2008076093.tif 000015